(57)【要約】【課題】  従来、園芸用具でのナメクジの忌避には、一般的に薬剤を使っているが、屋外で使用する場合は、雨水などの影響で薬剤効果の減少や薬害の危険性がある為に、全く薬剤を使わないで、一度に多くの植木鉢やプランターなどを載られ、安全且つ長期的に低廉で維持が出来る、ナメクジ除け園芸用テーブルを提供する。【解決手段】一対の導電体を用い、電気ショックでナメクジを忌避し、上段部と下段部を嵌合してなる２重構造とし、上段部に電源部を設け、下段部の台脚部の一対の導電体を横切る時に、電気ショックで侵入を阻止し、上下段部間の全ての間隔を、嵌合部を除き、ナメクジ体長の約４分の３以上にし、風雨による飛沫が導電体に付着するのを、上下２枚の飛沫防止カバーで防ぎ、テーブルには多くの園芸用具を載せて、拡大も出来ることを特徴とするナメクジ除け園芸用テーブル。【選択図】図１
2015144597.tif 000002
【特許請求の範囲】
【請求項１】
大きくは、天板を主要素とする上段部と、下から上段部に嵌まり合う形で形成される下段部とから成るナメクジ除け園芸用テーブルであり、この構造物全体を受け台の上に載せ置いて使用するものであって、以下、天板は、仮に横長の長方形状で、長手辺の一方の手前側を正面として向き合うと仮定するのであるが、受け台に直接接地しているのは下段部の最下部を成す接地板であり、接地板は細長形状で、その長手辺が天板の短手辺に平行・即ち手前側正面から先向こう側・背面方向に、且つ天板の左右端の短手辺から其々少し内側寄りに当たる位置にて、相互平行に左右に間隔距離をおいて並列状態にあり、この接地板の上に・接地板を足の如くに接合しているところの下段部の諸要素が構成されるのであるが、間隔を置いて左右に平行に並列している接地板は、上面において、それぞれの長手両端・即ち手前側・向こう側の２箇所の短手辺縁に沿って・接地板の約縦半分の位置まで橋渡した固定板によって、相互に結合され、この両固定板の間のスペースにおいて、中央域の大半を塞ぎつつ・それぞれの固定板から少し間隔を空けて・固定板と平行に・固定板と同等の厚み・長さで・台脚取付け板を設置し、この台脚取付け板の中央域において、縦中心線を挟む一定の距離間隔をおいて、固定板方向に直交し・接地板に平行する形で左右に並列するところの台脚部を設置し、台脚部は分厚い正角材を用いた場合において、上方へは約３−４段重ね程の高さに形設し、左右それぞれの最上段の中央部上面に、正角材の厚みの約３分の２程の深さで凹みを掘設して下段部嵌合凹部を形設し、更に台脚部の高さの中間域を一周する形で、プラス側・マイナス側一対の導電体を、約１ｍｍ位の絶縁距離をおいて上下に設置して、上部導電体・下部導電体を設けるが、その際、上部導電体の幅は凡そナメクジの体長の半分以上・下部導電体の幅は上部導電体の約半分位にするのが好ましく、このように設置された固定板及び台脚取付け板の外周に沿って周回し、垂直上方に・台脚部の上端よりも低く、下段部飛沫防止カバーを立設するのであるが、このような下段部の構造に、上から嵌め込む形で結合するのが上段部であって、上段部の主要素を成す天板の裏面において、中央域に・角材を用いてＨ形の上段部嵌合凸部を設けるが、このＨ形は下段部の台脚部を左右の外側を挟むようにピッタリ添いつつ、下段部嵌合凹部にピッタリ対応して嵌まり合う形で形成され、更に、このＨ形の外側線の４つの線端を結ぶ四角形に沿って、垂直下方に・下段部の台脚部に設置されている下部導電体が隠れる辺りまでの深さで・立設される上段部飛沫防止カバーを設けるが、このように形成された上段部を下段部に重ね嵌めた時、上段部飛沫防止カバーとその外側の下段部飛沫防止カバーとの間、上段部飛沫防止カバー先端と台脚取付け板との間等、上段部と下段部とは、嵌合部を除き・どの場所においても・相互にナメクジ体長の約４分の３以上の間隔があるように形成され、上段部飛沫防止カバーと下段部飛沫防止カバーとは、水平方向から見て、一定の重合幅で相互に重なり、上段部の天板裏面の外縁際に設置してある電源ＢＯＸから引いた電源ケーブルは、右側の台脚部で受け、同極間はケーブルトレイを利用し、渡り配線で接続され、上段電源ケーブルと下段電源ケーブルの上下間はコネクター等で接続されるということを特徴とするナメクジ除け園芸用テーブル。
【発明の詳細な説明】
【技術分野】
【０００１】  この発明は、園芸用具などにナメクジが侵入するのを阻止するための園芸用テーブルに関するものである。
【背景技術】
【０００２】  従来、植木鉢や各種プランターなどで、ナメクジの侵入による被害から野菜や園芸植物を防止するためには、各種市販の薬剤を使用する方法が一般的であった。
しかし、屋外で薬剤を用いてするナメクジ忌避対策は、風雨による薬効低下に加えて、犬猫、幼児などが、不測的な薬害発生に巻き込まれる危険性などの諸問題が存在している。
よって、これらの問題や危険性が生じず、一度に多くの植木鉢やプランター等を載せて使用することが出来るようなナメクジ侵入防止用具を必要としたが、屋外の厳しい環境下での使用は、ナメクジの夜行性等々特異な習性もあって、容易には実現が出来なかった。植木鉢の載置台の周囲に、水や駆除液を設ける収納凹部を設けて、ナメクジやミミズの侵入を防ぐのも知られている（特許文献１参照）。
又、忌避剤を浸透させた忌避マットでナメクジを駆除するのも知られている（特許文献２参照）。更に、植木鉢の表面や周囲などに一対の電極を取り付け、電撃を与えて忌避するのも知られている（特許文献３参照）。
【先行技術文献】
【特許文献】
【０００３】
【特許文献１】実用新案公開平６−２４４４４号公報
【特許文献２】特許公開２００１−２２６２１２号公報
【特許文献３】特許公開２００２−１７１８９４号公報
【発明の開示】
【発明が解決しようとする課題】
【０００４】  従来、園芸用のナメクジ忌避や駆除には、市販の薬剤を使用するのが一般的であるが、屋外では雨水による薬剤効果の減少や、薬剤費用の問題、不測的な薬害の危険性などが存在している。これらの問題や危険性を回避するためにも、薬剤を全く使用せず、長期間でも低廉な維持費用で、昼夜及び季節などに関係なく、一度に多くの園芸用具を載せられる、ナメクジ除け園芸用のテーブルが必要である。
参照文献１、２に示される先行技術は、雨水対策がなく、植木鉢などを個別に使用する構造になっているが、一般的に園芸をする場合は、多数の植木鉢やプランター等を用いて育成している為に、多くの植木鉢などを載せられない先行技術の用具では、購入費用も増え、維持管理も煩雑になってとても厄介である。
又、参照文献３に示される先行技術は、屋外での使用に対して、風雨や飛沫の対策が十分にないので、電源関係や重要な電極部分に不具合が生じ易い。
【課題を解決するための手段】
【０００５】  大きくは、天板を主要素とする上段部と、下から上段部に嵌まり合う形で形成される下段部とから成るナメクジ除け園芸用テーブルであり、この構造物全体を受け台の上に載せ置いて使用するものである。
以下、天板は、仮に横長の長方形状で、長手辺の一方の手前側を正面として向き合うと仮定する。
受け台に直接接地しているのは下段部の最下部を成す接地板であり、接地板は細長形状で、その長手辺が天板の短手辺に平行・即ち手前側正面から先向こう側背面方向に、且つ天板の左右端の短手辺から其々少し内側寄りに当たる位置にて、相互平行に左右に間隔距離をおいて並列状態にある。この接地板の上に・接地板を足の如くに接合しているところの下段部の諸要素が構成される。
間隔を置いて左右に平行に並列している接地板は、上面において、それぞれの長手両端・即ち手前側・向こう側の２箇所の短手辺縁に沿って・接地板の約縦半分の位置まで橋渡した固定板によって、相互に結合される。この両固定板の間のスペースにおいて、中央域の大半を塞ぎつつ・それぞれの固定板から少し間隔を空けて・固定板と平行に・固定板と同等の厚み・長さで・台脚取付け板を設置する。
この台脚取付け板の中央域において、縦中心線を挟む一定の距離間隔をおいて、固定板方向に直交し・接地板に平行する形で左右に並列するところの台脚部を設置する。台脚部は分厚い正角材を用いた場合において、上方へは約３−４段重ね程の高さに形設し、左右それぞれの最上段の中央部上面に、正角材の厚みの約３分の２程の深さで凹みを掘設して下段部嵌合凹部を形設する。更に台脚部の高さの中間域を一周する形で、プラス側・マイナス側一対の導電体を、約１ｍｍ位の絶縁距離をおいて上下に設置して、上部導電体・下部導電体を設ける。
その際、上部導電体の幅は凡そナメクジの体長の半分以上・下部導電体の幅は上部導電体の約半分位にするのが好ましい。このように設置された固定板及び台脚取付け板の外周に沿って周回し、垂直上方に・台脚部の上端よりも低く、下段部飛沫防止カバーを立設する。このような下段部の構造に、上から嵌め込む形で結合するのが上段部である。
上段部の主要素を成す天板の裏面において、中央域に・角材を用いてＨ形の上段部嵌合凸部を設けるが、このＨ形は下段部の台脚部を左右の外側を挟むようにピッタリ添いつつ、下段部嵌合凹部にピッタリ対応して嵌まり合う形で形成される。
更に、このＨ形の外側線の４つの線端を結ぶ四角形に沿って、垂直下方に・下段部の台脚部に設置されている下部導電体が隠れる辺りまでの深さで・立設される上段部飛沫防止カバーを設ける。
このように形成された上段部を下段部に重ね嵌めた時、上段部飛沫防止カバーとその外側の下段部飛沫防止カバーとの間、上段部飛沫防止カバー先端と台脚取付け板との間等、上段部と下段部とは、嵌合部を除き・どの場所においても・相互にナメクジ体長の約４分の３以上の間隔があるように形成され、上段部飛沫防止カバーと下段部飛沫防止カバーとは、水平方向から見て、一定の重合幅で相互に重なる。
上段部の天板裏面の外縁際に設置してある電源ＢＯＸから引いた電源ケーブルは、右側の台脚部で受け、同極間はケーブルトレイを利用し、渡り配線で接続され、上段電源ケーブルと下段電源ケーブルの上下間はコネクター等で接続される。
以上を特徴とするナメクジ除け園芸用テーブルである。
【発明の効果】
【０００６】  ナメクジ忌避や駆除には、一般的に薬剤などを使用しているが、屋外では雨水による薬効の減少と使用量の増加、薬害など厄介な問題があった。本発明は薬剤を一切使わない構造であり、安価な１個の乾電池を用い、電気ショックによるナメクジ忌避効果を、約１年以上も持続することが出来、屋外での使用に於いて、風雨などに対して有効な備えを形設してあり、低費用で長期間の使用が出来且つ一度に多くの植木鉢やプランターなどを載せられる。
又、次第に利用できる場所が狭くなれば、本発明に２倍位の大きなテーブルを重ねて取り付けることで、簡便に利用の拡大が出来、更に、本発明を２セット用い、少し並列に離して設置し、間に適当な補強材を使って跨ぐように配置すれば、より大きなテーブルを載せられ、本発明の５−６倍程の面積の拡大が出来、よって園芸活動の拡充には、柔軟に対応が出来る。
【図面の簡単な説明】
【０００７】
【図１】本発明の外観斜視図
【図２】本発明の一部である上段部の裏面図
【図３】本発明の一部である下段部の平面図
【図４】本発明の底面図
【図５】本発明の一部である台脚部と導電体を示す側面図
【発明を実施するための形態】
【０００８】  以下、本発明の実施形態を説明する。
大きくは、天板（１）を主要素とする上段部（１３）と、下から上段部（１３）に嵌まり合う形で形成される下段部（１４）とから成るナメクジ除け園芸用テーブルであり、この構造物全体を受け台（１６）の上に載せ置いて使用するものである。
以下、天板（１）は、仮に横長の長方形状で、長手辺の一方の手前側を正面として向き合うと仮定する。
受け台（１６）に直接接地しているのは下段部（１４）の最下部を成す接地板（４）であり、接地板（４）は細長形状で、その長手辺が天板（１）の短手辺に平行・即ち手前側正面から先向こう側背面方向に、且つ天板（１）の左右端の短手辺から其々少し内側寄りに当たる位置にて、相互平行に左右に間隔距離をおいて並列状態にある。
この接地板（４）の上に・接地板（４）を足の如くに接合しているところの下段部（１４）の諸要素が構成される。
間隔を置いて左右に平行に並列している接地板（４）は、上面において、それぞれの長手両端・即ち手前側・向こう側の２箇所の短手辺縁に沿って・接地板（４）の約縦半分の位置まで橋渡した固定板（１７）によって、相互に結合される。この両固定板（１７）の間のスペースにおいて、中央域の大半を塞ぎつつ・それぞれの固定板（１７）から少し間隔を空けて・固定板（１７）と平行に・固定板（１７）と同等の厚み・長さで・台脚取付け板（１０）を設置する。
この台脚取付け板（１０）の中央域において、縦中心線を挟む一定の距離間隔をおいて、固定板（１７）方向に直交し・接地板（４）に平行する形で左右に並列するところの台脚部（９）を設置する。台脚部（９）は分厚い正角材を用いた場合において、上方へは約３−４段重ね程の高さに形設し、左右それぞれの最上段の中央部上面に、正角材の厚みの約３分の２程の深さで凹みを掘設して下段部嵌合凹部（１５）を形設する。
更に台脚部（９）の高さの中間域を一周する形で、プラス側・マイナス側一対の導電体（１２）を、約１ｍｍ位の絶縁距離をおいて上下に設置して、上部導電体（１２ａ）・下部導電体（１２ｂ）を設ける。その際、上部導電体（１２ａ）の幅は凡そナメクジの体長の半分以上・下部導電体（１２ｂ）の幅は上部導電体（１２ａ）の約半分位にするのが好ましい。このように設置された固定板（１７）及び台脚取付け板（１０）の外周に沿って周回し、垂直上方に・台脚部（９）の上端よりも低く、下段部飛沫防止カバー（３）を立設する。
このような下段部（１４）の構造に、上から嵌め込む形で結合するのが上段部（１３）である。上段部（１３）の主要素を成す天板（１）の裏面において、中央域に・角材を用いてＨ形の上段部嵌合凸部（７）を設けるが、このＨ形は下段部（１４）の台脚部（９）を左右から外側を挟むようにピッタリ添いつつ、下段部嵌合凹部（１５）にピッタリ対応して嵌まり合う形で形成される。更に、このＨ形の外側線の４つの線端を結ぶ四角形に沿って、垂直下方に・下段部（１４）の台脚部（９）に設置されている下部導電体（１２ｂ）が隠れる辺りまでの深さで・立設される上段部飛沫防止カバー（２）を設ける。
このように形成された上段部（１３）を下段部（１４）に重ね嵌めた時、上段部飛沫防止カバー（２）とその外側の下段部飛沫防止カバー（３）との間、上段部飛沫防止カバー（２）先端と台脚取付け板（１０）との間等、上段部（１３）と下段部（１４）とは、嵌合部を除き・どの場所においても・相互にナメクジ体長の約４分の３以上の間隔があるように形成され、上段部飛沫防止カバー（２）と下段部飛沫防止カバー（３）とは、水平方向から見て、一定の重合幅で相互に重なる。
上段部（１３）の天板（１）裏面の外縁際に設置してある電源ＢＯＸ（６）から引いた電源ケーブル（５）は、右側の台脚部（９）で受け、同極間はケーブルトレイ（１１）を利用し、渡り配線で接続され、上段電源ケーブル（５ａ）と下段電源ケーブル（５ｂ）の上下間はコネクター（８）等で接続される。
本発明は以上のような構成であり、以下これを実際に使用する時の具体的な形態を説明する。
天板（１）の裏面にある、電源ＢＯＸ（６）の電源部飛沫防止カバーのネジを緩めて上側にスライドして外し、電池ＢＯＸに市販の９Ｖの乾電池を入れ、付帯の電池用のコネクターをセットしたら、電源部飛沫防止カバーを元のように被せ、緩めたネジを締め戻す。次に、下段部（１４）に電源を供給している上段電源ケーブル（５ａ）と下段電源ケーブル（５ｂ）とが、コネクタ−（８）などで、しっかり連結されていることを確認する。
本発明の天板（１）には、合計で約６０Ｋｇ位までの植木鉢やプランターなどを載せられ、水やりも天板（１）に載せた状態で出来る。通常に於いてナメクジが、本発明の天板（１）に侵入する場合の経路として、外部から下段部（１４）の接地板（４）に上り、下段部飛沫防止カバー（３）を乗越えるか、又は、下段部飛沫防止カバー（３）の内側より入り込み、固定板（１７）と台脚取付け板（１０）との隙間（１８）を経由するコース、或は、直接に下段部飛沫防止カバー（３）を乗越えて、そのカバーや固定板（１７）、接地板（４）などを伝って台脚取付け板（１０）に入り込むコースなど多数ある。しかし、その何れのコースでも、ナメクジに感電ショックを与える為に、両台脚部（９）の、電圧が掛っている一対の導電体（１２）の箇所を突破しなければ、上段部（１３）の天板（１）に至ることは出来ない。
本発明の、ナメクジ除けの機能性と関係ない特殊な侵入の場合として、人意的な不注意によるもので、植木鉢やプランターなど外観上で見えにくい容器の箇所や、園芸植物にナメクジが付着しているのを、知らずに持ち込むことで、結果としてナメクジを侵入させてしまう場合があるので、外部から持ち込む場合には、必ず、園芸用の容器や植物類などの全体を、入念に検察する必要がある。
それから、植木鉢やプランターの植物の葉などが、天板（１）以外の地面に接触している時や、不特定物が天板（１）に接触しているか、又は、上段部（１３）の各部位と外部との間隔がナメクジ体長の約４分の３未満の場合には、ナメクジがその間隔を越えて、天板（１）に上ってくる場合があるので、注意が必要である。
よって、本発明の設置場所は、直に土砂の上に置かずに、設置場所の真下や周囲には雑草が生えないように整備した場所で、本発明の接地板（４）の下には、地面よりも多少高めの、コンクリート製などの腐食しない受け台（１６）を置き、設置場所の周囲の雑草や近くの不特定物に対して、絶えず注意をする必要がある。
使用する電源の乾電池は市販の９Ｖであるが、通電を開始すると、ナメクジの侵入の有無に関係なく、自然リーク電流の為に、次第に電圧が低下するので、約７．５Ｖ以下になったら、９Ｖある乾電池に取り替える必要がある。
一対の導電体（１２）の部分に、感電したナメクジが取り付いた状態や、不用意に水で濡らした状態を放置してある場合には、電流が流れ続けて電池の寿命が短くなるので、水やりの時には十分に注意し、又、台風などの暴風雨の後は、設置状態や内部の様子などを良く見て、不要な障害物などを取り除き、状態によって適切に対処する必要がある。
本発明を使用しない時は、電池を外し、使い終わりには内部を含めた全体を清掃し、特に一対の導電体（１２）部分の汚れを良く落とすことで、電気ショック効果の低下を防止することが出来る。
電源ケーブル（５）の上段電源ケーブル（５ａ）と下段電源ケーブル（５ｂ）に接続してあるコネクター（８）を脱着する場合には、下段部（１４）の隙間（１８）から直接に手を入れて作業をすることが出来る。
天板（１）には、本発明の２倍位大きなテーブルを、重ねて取り付けて使用することが出来るが、制限重量（約６０Ｋｇ位）は超えないように、注意をする必要がある。
更に、本発明を２セット用い、少し並列に離して設置し、間に適当な補強材を使って跨ぐように配置すれば、より大きなテーブルを載せられ、本発明の５−６倍も面積の拡大が出来、よって、園芸活動の拡張に際して柔軟に対応が出来る。
【符号の説明】
【０００９】１  天板、  ２  上段部飛沫防止カバー、  ３  下段部飛沫防止カバー、
４  接地板、  ５  電源ケーブル、  ５ａ  上段電源ケーブル、
５ｂ  下段電源ケーブル、  ６  電源ＢＯＸ、  ７  上段部嵌合凸部、
８  コネクター、  ９  台脚部、  １０  台脚取付け板、  １１  ケーブルトレイ、
１２  導電体、  １２ａ  上部導電体、  １２ｂ  下部導電体、  １３  上段部、
１４  下段部、  １５  下段部嵌合凹部、  １６  受け台、  １７  固定板、
１８  隙間
【図１】
2015144597.tif 000003
【図２】
2015144597.tif 000004
【図３】
2015144597.tif 000005
【図４】
2015144597.tif 000006
【図５】
2015144597.tif 000007